(57)【要約】【課題】電源部がオフの状態になった場合でも、外部の通信機に現在位置情報を送信することができる携帯電話装置を提供する。【解決手段】ＧＰＳ衛星からのＧＰＳデータを受信するＧＰＳ受信部５８と、ＧＰＳ受信部５８で受信されたＧＰＳデータに基づいて現在位置情報を算出する制御部３６と、現在位置情報を外部の通信機に送信するＧＰＳ送信部５８と、オン・オフ操作が可能でありＧＰＳ受信部５８、制御部３６及びＧＰＳ送信部５８に電力を供給する電源部６０、６２と、を有する携帯電話装置１０であって、オフ操作された電源部６０、６２はＧＰＳ受信部５８、制御部３６及びＧＰＳ送信部５８に電力を供給し続け、現在位置情報が制御部３６により通信機に送信可能となる構成とした。【選択図】      図１
2006217259.tif 000002
【特許請求の範囲】
【請求項１】
ＧＰＳ衛星からのＧＰＳデータを受信するＧＰＳ受信部と、前記ＧＰＳ受信部で受信されたＧＰＳデータに基づいて現在位置情報を算出する制御部と、前記現在位置情報を外部の通信機に送信する送信部と、オン・オフ操作が可能であり前記ＧＰＳ受信部、前記制御部及び前記送信部に電力を供給する電源部と、を有する携帯電話装置であって、
電源オフ操作されると、前記電源部は、少なくとも前記ＧＰＳ受信部、前記制御部及び前記送信部に電力を供給し続け、前記送信部により前記現在位置情報を送信可能となることを特徴とする携帯電話装置。
【請求項２】
前記現在位置情報が所定のタイミングで定期的に送信されることを特徴とする請求項１に記載の携帯電話装置。
【請求項３】
外部の通信機との通話を可能にする電話通信部と、前記通信機の電話番号を記憶する記憶部と、を有し、
前記電源部は前記電話通信部に電力を供給し、
オフ操作されると、前記電源部は前記電話通信部に電力を供給し続け、前記記憶部に記憶された前記電話番号へ自動的に発呼されることを特徴とする請求項１又は２に記載の携帯電話装置。
【請求項４】
前記現在位置情報を音声信号に変換する音声変換部を有し、
前記音声変換部により変換された音声信号が前記送信部により送信されることを特徴とする請求項１又は２に記載の携帯電話装置。
【請求項５】
前記記憶部には所定の情報と所定のメールアドレスとが記憶されており、
オフ操作された前記電源部は前記電話通信部に電力を供給し続け、前記記憶部に記憶された前記情報が前記メールアドレスの前記通信機に電子メールとして送信されることを特徴とする請求項１〜２又は４に記載の携帯電話装置。
【請求項６】
前記現在位置情報が前記電子メールのタイトル文又はメール本文、或いは前記電子メールの添付データとして送信されることを特徴とする請求項５に記載の携帯電話装置。
【請求項７】
前記電源部は複数のバッテリー部で構成され、
複数の前記バッテリー部のうち少なくとも一方の前記バッテリー部から前記ＧＰＳ受信部、前記制御部、前記送信部或いは前記電話通信部に電力が供給されることを特徴とする請求項１乃至６のいずれか１項に記載の携帯電話装置。
【請求項８】
所定の情報を表示する表示部を有し、
前記現在位置情報の送信中には、前記表示部に所定の情報が表示されないことを特徴とする請求項１乃至７のいずれか１項に記載の携帯電話装置。
【発明の詳細な説明】
【技術分野】
【０００１】
本発明は、ＧＰＳ（Ｇｌｏｂａｌ  Ｐｏｓｉｔｉｏｎｉｎｇ  Ｓｙｓｔｅｍ）機能や電子メール機能などを備えた携帯電話装置に関する。
【背景技術】
【０００２】
従来からＧＰＳ機能を有する携帯電話装置が知られており、この種の携帯電話装置の中には、ＧＰＳにより現在位置情報を受信し、その現在位置情報を外部の通信機に送信するものがある（下記特許文献１参照）。
【特許文献１】特開２００２−３３５５５１号公報
【発明の開示】
【発明が解決しようとする課題】
【０００３】
ところで、上記従来の携帯電話装置では、バッテリー部が外されたり、電源オフの操作がされると、現在位置情報を外部の通信機に送信することができなくなる。このため、例えば、ユーザが誘拐された場合などでは、外部の通信機に現在位置情報を送信したくても、誘拐犯がバッテリー部を外したり、あるいは電源オフ操作をすると、その機能を活用できなくなる問題がある。
【０００４】
そこで、本発明は、上記事情を考慮し、電源部がオフの状態になった場合でも、外部の通信機に現在位置情報を送信することができる携帯電話装置を提供することを目的とする。
【課題を解決するための手段】
【０００５】
請求項１に記載の発明は、ＧＰＳ衛星からのＧＰＳデータを受信するＧＰＳ受信部と、前記ＧＰＳ受信部で受信されたＧＰＳデータに基づいて現在位置情報を算出する制御部と、前記現在位置情報を外部の通信機に送信する送信部と、オン・オフ操作が可能であり前記ＧＰＳ受信部、前記制御部及び前記送信部に電力を供給する電源部と、を有する携帯電話装置であって、電源オフ操作されると、前記電源部は、少なくとも前記ＧＰＳ受信部、前記制御部及び前記送信部に電力を供給し続け、前記送信部により前記現在位置情報を送信可能となることを特徴とする。
【０００６】
請求項１に記載の発明によれば、オフ操作された電源部によりＧＰＳ受信部、制御部及びＧＰＳ送信部に電力が供給し続けられて、現在位置情報が制御部により外部の通信機に送信可能となる。これにより、例えば、ユーザが誘拐され、誘拐犯により携帯電話装置の電源部がオフ操作された場合でも、携帯電話装置の現在位置情報を外部の通信機に送信することができるため、携帯電話装置（ユーザ）の現在位置を外部の人間に知らせることができる。
【０００７】
請求項２に記載の発明は、請求項１に記載の携帯電話装置において、前記現在位置情報が所定のタイミングで定期的に送信されることを特徴とする。
【０００８】
請求項２に記載の発明によれば、現在位置情報が所定のタイミングで定期的に送信されることにより、携帯電話装置（ユーザ）の現在位置情報を外部の人間に確実に知らせることができる。
【０００９】
請求項３に記載の発明は、外部の通信機との通話を可能にする電話通信部と、前記通信機の電話番号を記憶する記憶部と、を有し、前記電源部は前記電話通信部に電力を供給し、オフ操作されると、前記電源部は前記電話通信部に電力を供給し続け、前記記憶部に記憶された前記電話番号へ自動的に発呼されることを特徴とする請求項１又は２に記載の携帯電話装置である。
【００１０】
請求項３に記載の発明によれば、オフ操作された電源部により電話通信部に電力が供給し続けられて、記憶部に記憶された電話番号の通信機が制御部により発呼されるため、外部の送信機の所有者にユーザが事件に巻き込まれたことを知らせることができる。
【００１１】
請求項４に記載の発明は、前記現在位置情報を音声信号に変換する音声変換部を有し、前記音声変換部により変換された音声信号が前記送信部により送信されることを特徴とする請求項１又は２に記載の携帯電話装置である。
【００１２】
請求項４に記載の発明によれば、音声変換部により変換された音声信号が制御部により通信機に送信されることにより、外部の人間は音声として聞くことができる。例えば、現在位置情報を音声変換部で緯度及び経度に関する音声信号に変換することにより、外部の人間は携帯電話装置（ユーザ）の現在位置を緯度及び経度の観点から特定することができる。
【００１３】
請求項５に記載の発明は、前記記憶部には所定の情報と所定のメールアドレスとが記憶されており、オフ操作された前記電源部は前記電話通信部に電力を供給し続け、前記記憶部に記憶された前記情報が前記メールアドレスの前記通信機に電子メールとして送信されることを特徴とする請求項１〜２又は４に記載の携帯電話装置である。
【００１４】
請求項５に記載の発明によれば、オフ操作された電源部により電話通信部に電力が供給し続けられ、記憶部に記憶された情報が記憶部に記憶されたメールアドレスの通信機に制御部により電子メールとして送信されることにより、電子メールを用いて外部の人間にユーザが事件に巻き込まれたことを知らせることができる。
【００１５】
請求項６に記載の発明は、前記現在位置情報が前記電子メールのタイトル文又はメール本文、或いは前記電子メールの添付データとして送信されることを特徴とする請求項５に記載の携帯電話装置である。
【００１６】
請求項６に記載の発明によれば、現在位置情報が電子メールのタイトル文又はメール本文、或いは電子メールの添付データとして送信されることにより、電子メールを受信した外部の人間に電子メールの内容を容易に知らせることができる。
【００１７】
請求項７に記載の発明は、前記電源部は複数のバッテリー部で構成され、複数の前記バッテリー部のうち少なくとも一方の前記バッテリー部から前記ＧＰＳ受信部、前記制御部、前記送信部或いは前記電話通信部に電力が供給されることを特徴とする請求項１乃至６のいずれか１項に記載の携帯電話装置である。
【００１８】
請求項８に記載の発明によれば、複数のバッテリー部のうち少なくとも一方のバッテリー部からＧＰＳ受信部、制御部、ＧＰＳ送信部或いは電話通信部に電力が供給されるため、複数のバッテリー部のうち一部のバッテリー部が携帯電話装置から外された場合でも、他のバッテリー部によりＧＰＳ受信部、制御部、ＧＰＳ送信部或いは電話通信部に電力を供給させることができる。特に、他のバッテリー部を確認困難な部位に設けておくことにより、例えば誘拐犯に他のバッテリー部の存在が気づかれてしまうことを防止できる。
【００１９】
請求項９に記載の発明は、所定の情報を表示する表示部を有し、前記現在位置情報の送信中には、前記表示部に所定の情報が表示されないことを特徴とする請求項１乃至７のいずれか１項に記載の携帯電話装置である。
【００２０】
請求項９に記載の発明によれば、現在位置情報の送信中には表示部に所定の情報が表示されないため、携帯電話装置の現在位置情報が送信されていることを例えば誘拐犯等に知られてしまうことがない。
【発明の効果】
【００２１】
本発明によれば、電源部がオフの状態になった場合でも、外部の通信機に現在位置情報を送信することができる。
【発明を実施するための最良の形態】
【００２２】
次に、本発明の一実施形態に係る携帯電話装置について、図面を参照して説明する。
【００２３】
図１に示すように、携帯電話装置１０は、アンテナ１６と接続された電話通信部１２を備えている。この電話通信部１２は、後述のベースバンド部１４からの信号をアンテナ１６を介して基地局へ発信し、あるいはアンテナ１６を介して基地局からの電波を受信する。
【００２４】
また、電話通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。
【００２５】
また、ベースバンド部１４には、切替回路２２が接続されている。この切替回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
【００２６】
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されてベースバンド部１４に出力される。
【００２７】
また、切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカである。また、第２スピーカ３４は、着信報知の鳴動も行う。なお、これらの３つの増幅回路２４、２８、３２は、ゲインを固定しており、第１スピーカ２６及び第２スピーカ３４の音量やマイクロホン３０の感度を変更することはできないようになっている。
【００２８】
この切替回路２２は、ベースバンド部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００２９】
また、携帯電話装置１０は、ＧＰＳアンテナ５６と接続されたＧＰＳ通信部（ＧＰＳ送信部、ＧＰＳ受信部）５８を備えている。ＧＰＳ通信部５８は、ＧＰＳ受信部と、ＧＰＳ送信部と、で構成されている。ＧＰＳ受信部では、ＧＰＳアンテナ５６がとらえた現在位置情報に関する電波（ＧＰＳデータ）を電気信号に変換処理して制御回路３６に出力する。この制御回路３６では、ＧＰＳデータに基づいて携帯電話装置１０の現在位置情報が算出される。なお、制御回路３６に出力された携帯電話装置１０の現在位置情報は、ＲＡＭ４０に記憶される。また、ＧＰＳ送信部では、制御回路３６により算出された現在位置情報をデータとして、ＧＰＳアンテナ５６を介して外部の通信機（例えば、別の携帯電話装置）に送信する。
【００３０】
また、電話通信部１２、ベースバンド部１４、切替回路２２及びＧＰＳ通信部５８には、制御回路（制御部）３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。制御回路３６は、ＲＯＭ３８と接続されており、ＲＯＭ３８に格納されているシステムプログラムに基づき各部を制御する。また、制御回路３６は、制御回路３６の動作に必要な所定の情報が記憶されているＲＡＭ４０と接続されている。また、制御回路３６によりＧＰＳ通信部５８又は電話通信部１２を介して外部の通信機（例えば、携帯電話装置）に対して現在位置情報や電子メールを送信することができるようになっている。また、制御回路３６にはタイマー（図示省略）が内蔵されており、外部の通信機（例えば、携帯電話装置）に対して現在位置情報や電子メールを所定のタイミングで定期的に送信することができるようになっている。
【００３１】
ここで、ＲＡＭ４０には、所定の情報が記憶されている。具体的には、電話帳に登録されている友人・身内等の氏名及び電話番号、受信した電子メールの内容及び送信した電子メールの内容、事件に巻き込まれたことを他人に知らせるためのメッセージの内容、ＧＰＳアンテナ５６を介してＧＰＳ通信部５８で受信したＧＰＳデータに基づいて制御回路３６により算出された携帯電話装置１０の現在位置情報などの文字情報が挙げられる。
【００３２】
また、ＲＡＭ４０には、上記情報を送信するための相手先が記憶されている。具体的には、自宅のパソコンの電子メールアドレスや別の携帯電話装置の電子メールアドレス、外部の電話装置（携帯電話装置も含む）の電話番号などが挙げられる。さらに、ＲＡＭ４０には、制御回路３６で算出された現在位置情報と緯度・経度との対応関係を示したテーブルが記憶されている。
【００３３】
また、制御回路３６には、入力部４４が接続されている。この入力部４４は、電話番号等の入力を行うテンキー４８と、通話の開始を操作する通話キー５０と、通話の終了を操作する切キー５２と、各種機能の設定を行う機能キー５４と、後述の照明部４６からディスプレイ４２への照明を停止し携帯電話装置１０が鳴動不可能な状態（電源オフの状態）にする電源キー６４と、を有している。なお、この電源キー６４を操作することにより、後述の第１バッテリー部６０及び第２バッテリー部６２のオン状態・オフ状態を、適宜、切り替えることができる。
【００３４】
また、制御回路３６には、所定の色のＬＥＤ素子を備えた照明部４６が接続されている。照明部４６のＬＥＤ素子の発光により、ディスプレイ４２が所定の色に施される。
【００３５】
また、制御回路３６には、第１バッテリー部（電源部）６０及び第２バッテリー部（電源部）６２が接続されている。この第１バッテリー部６０又は第２バッテリー部６２の少なくとも一方により、ＧＰＳ通信部５８、電話通信部１２、制御回路３６に電力が供給されている。この第１バッテリー部６０又は第２バッテリー部６２は、充電電池で構成されている。第１バッテリー部６０及び第２バッテリー部６２は、携帯電話装置１０の内部の別々の部位に設けられており、一方のバッテリー部は確認容易な部位（例えば、電池ボックスの内部）に設けられ、他方のバッテリー部は確認困難な部位（電池ボックスの内部ではなく半導体基板などに隠されており外部から視認不可能な部位）に設けられていることが好ましい。
【００３６】
なお、本実施形態の携帯電話装置１０では、２つのバッテリー部６０、６２を設けた構成を例にとり説明したが、この構成に限られることなく、３つ以上のバッテリー部を設けても良い。
【００３７】
さらに、制御回路３６には、音声変換部６６が接続されている。この音声変換部６６により、制御回路３６で算出された現在位置情報と対応する緯度・経度が音声に変換される。なお、音声に変換された現在位置情報である緯度・経度は、ベースバンド部１４及び電話通信部１２を介して外部の通信機（例えば、携帯電話装置）に送信される。
【００３８】
次に本実施携帯に係る携帯電話装置１０の動作について説明する。
【００３９】
図２は本実施例装置の動作を示すフロー図である。
図２のＳ１０ステップにおいて、制御回路３６は、電源キー６４の押下による電源オフ操作があると判定すると、Ｓ１１ステップへ処理を進める。
【００４０】
Ｓ１１ステップでは、制御回路３６は、ＧＰＳ通信部５８、電話通信部１２、ベースバンド部１４に電力を供給し続け、ディスプレイの表示をオフし、切替回路２２、アンプ２４、２８、３２等への電源供給を遮断する。尚、このことは、ＧＰＳ位置情報を受信する回路部分と、位置情報を送信する回路部分、制御回路３６に電力を供給し、他の回路へは電源を供給しないことを意味している。
【００４１】
Ｓ１２ステップでは、制御回路３６が有するタイマ（図示せず）の計時を開始する。この計時時間はユーザが設定しても良いし、端末の製造者が設定しても良い。
【００４２】
Ｓ１３ステップでは、制御回路３６が第１バッテリー６０が外されたか否かを判定し、外されたと判定するとＳ１４ステップへ処理を進め、そうでなければＳ１５ステップへ処理を進める。
【００４３】
Ｓ１４ステップでは、制御回路３６が、第２バッテリ部６２からの電源供給による駆動を開始する。
【００４４】
Ｓ１５ステップでは、制御回路３６が、前記Ｓ１２ステップで計時を開始したタイマが所定時間の計時を終了したと判定すると、Ｓ１６ステップへ処理を進め、そうでなければＳ１８ステップへ処理を進める。
【００４５】
Ｓ１６ステップでは、制御回路３６が、ＧＰＳ通信部５８を制御することによりＧＰＳ位置情報を受信し、ＲＡＭ４０に一時的に記憶する。
続くＳ１７ステップでは、制御回路３６が、電話通信部１２を制御することにより、ＲＡＭ４０に格納した位置情報をメールにて送信する。尚、この時、ＲＡＭ４０に格納した位置情報は、経度、緯度からなる位置情報を送信しても良いし、具体的な地名を送信しても良い。具体的な地名を送信する場合には、予めＲＡＭ４０に格納した経度緯度の情報に対応する地名情報をＲＡＭ４０から読み出し、送信することにより実現可能である。又、更に、位置情報を音声情報として送信することも可能である。この場合、位置情報を音声情報に変換して送信すればよい。例えば、制御回路４０が電話通信部１２を制御することにより、予めＲＡＭ４０に格納されている相手先に発呼を行い、相手先が着信に応答すれば、音声情報に変換された位置情報を相手側に送信することも可能である。
Ｓ１８ステップでは、制御回路３６は、電源キー６４の操作による電源オフ操作があると判定すると、Ｓ１９ステップへ処理を進め、そうでなければ、Ｓ１３ステップへ処理を戻す。
Ｓ１９ステップでは、制御回路３６は、ディスプレイ４２に充電池の残量が足りないことを示す表示（例えば、「充電してください」）を表示し、Ｓ１３ステップへ処理を戻す。
【００４６】
次に、本実施形態に係る携帯電話装置１０の作用について説明する。
【００４７】
本実施形態の携帯電話装置１０によれば、電源キー６４によりオフ操作された状態で、第１バッテリー部６０又は第２バッテリー部６２の少なくとも一方からＧＰＳ通信部（ＧＰＳ受信部、ＧＰＳ送信部）５８及び制御回路３６に電力が供給し続けられる。これにより、携帯電話装置１０の現在位置情報が制御回路３６により制御されてＧＰＳ送信部から外部の通信機（例えば、携帯電話装置）に電子メールにより送信可能（以下、適宜「メール送信」と略す。）となる。この結果、例えば、ユーザが誘拐され、誘拐犯により携帯電話装置１０の電源キー６４によりオフ操作された場合でも、携帯電話装置１０の現在位置情報を外部の通信機にメール送信することができるため、携帯電話装置（ユーザ）１０の現在位置を外部の人間に知らせることができる。
【００４８】
特に、現在位置情報が制御回路３６により制御されて所定のタイミングで定期的に外部の通信機にメール送信されることにより、携帯電話装置（ユーザ）１０の現在位置情報を外部の人間に確実に知らせることができる。
【００４９】
また、電源キー６４によりオフ操作された状態で、第１バッテリー部６０又は第２バッテリー部６２の少なくとも一方から電話通信部１２及び制御回路３６に電力が供給し続けられる。これにより、ＲＡＭ４０に記憶された電話番号の通信機（例えば、携帯電話装置）が制御回路３６により発呼されるため、外部の送信機の所有者にユーザが事件に巻き込まれたことを知らせることができる。特に、現在位置情報をメール送信することに加え、外部の携帯電話装置を発呼させることにより、外部の人間にユーザが事件に巻き込まれたことを確実に知らせることができるとともに、ユーザ（携帯電話装置１０）の現在位置情報を確実に知らせることができる。
【００５０】
また、制御回路３６のより算出された現在位置情報を音声変換部６６により変換された音声信号が制御回路３６により外部の通信機（例えば、携帯電話装置）に送信されることにより、外部の人間は音声として聞くことができる。例えば、現在位置情報を音声変換部６６で緯度及び経度に関する音声信号に変換することにより、外部の人間は携帯電話装置（ユーザ）の現在位置を緯度及び経度の観点から特定することができる。
【００５１】
また、電源キー６４によりオフ操作された状態で、第１バッテリー部６０又は第２バッテリー部６２の少なくとも一方から電話通信部１２及び制御回路３６に電力が供給し続けられる。これにより、ＲＡＭ４０に記憶された情報（例えば、メッセージ）がＲＡＭ４０に記憶された電子メールアドレスの通信機（例えば、携帯電話装置）に制御回路３６により電子メールとして送信される。この結果、電子メールを用いて外部の人間にユーザが事件に巻き込まれたことを知らせることができる。特に、現在位置情報が電子メールのタイトル文又はメール本文、或いは電子メールの添付データとして送信されることにより、電子メールを受信した外部の人間に電子メールの内容を容易に知らせることができる。
【００５２】
なお、ユーザがテンキー４８などに所定の操作をすることにより、第１バッテリー部６０又は第２バッテリー部６２の少なくとも一方からからＧＰＳ通信部５８（ＧＰＳ受信部、ＧＰＳ送信部）及び制御回路３６、或いは電話通信部１２への電力の供給を停止させることができるように設定してもよい。例えば、ＲＡＭ４０に、第１バッテリー部６０又は第２バッテリー部６２の少なくとも一方からからＧＰＳ通信部５８（ＧＰＳ受信部、ＧＰＳ送信部）及び制御回路３６、或いは電話通信部１２への電力の供給を停止させるためのロックナンバを予め記憶させておくことにより可能となる。
【００５３】
特に、複数のバッテリー部６０、６２のうち少なくとも一方のバッテリー部６０（６２）からＧＰＳ通信部（ＧＰＳ受信部、ＧＰＳ送信部）５８、制御回路３６、或いは電話通信部１２に電力が供給されているため、複数のバッテリー部６０、６２のうち一方のバッテリー部６０（６２）が携帯電話装置１０から外された場合でも、他のバッテリー部６２（６０）によりＧＰＳ通信部（ＧＰＳ受信部、ＧＰＳ送信部）５８、制御回路３６、或いは電話通信部１２に電力を供給させることができる。このため、他のバッテリー部６２（６０）を予め確認困難な部位に設けておくことにより、例えば誘拐犯に他のバッテリー部６２（６０）の存在が気づかれてしまうことを防止できる。
【００５４】
また、現在位置情報が外部の通信機（例えば、携帯電話装置）に送信されている状態では、ディスプレイ４２に電力が供給されていない、即ち、ディスプレイ４２に情報が何も表示されないため、携帯電話装置１０の現在位置情報が送信されていることを、例えば誘拐犯等に知られてしまうことがない。
【００５５】
また、電源キー６４によりオフ操作された後、再度電源キー６４によりオン操作された場合には、ディスプレイ４２に「電池を補充してください」と表示するとともに、現在位置情報を外部の通信機（例えば、携帯電話装置）にメール送信するようにしてもよい。これにより、例えば誘拐犯がディスプレイ４２を確認した場合に犯人に携帯電話装置１０の電池がないものと思わせることができ、携帯電話装置１０を用いて例えば身代金などの要求をさせることを防止できる。また同時に、現在位置情報を外部の通信機（例えば、携帯電話装置）にメール送信することによりユーザ（携帯電話装置１０）の現在位置を外部の人間に確実に知らせることができる。なお、ＲＡＭ４０に通信・通話状態が維持できなくなるロックナンバを予め記憶させておき、ユーザがテンキー４８などを操作してロックナンバを入力することにより、通信・通話状態を維持できなくなるようにしてもよい。また、この場合には、そのロックナンバを再度入力することにより、通信・通話機能を再度利用することができる。
【００５６】
さらに、電源キー６４によりオフ操作された後、再度電源キー６４によりオン操作され、かつテンキー４８などにより所定の操作が行われた後に、ディスプレイ４２に「電池を補充してください」と表示するとともに、現在位置情報を外部の通信機（例えば、携帯電話装置）にメール送信するようにしてもよい。
【図面の簡単な説明】
【００５７】
【図１】本発明の一実施形態に係る携帯電話装置のブロック図である。
【図２】本発明の一実施形態に係る携帯電話装置の動作を示すフローチャートである。
【符号の説明】
【００５８】
１０      携帯電話装置
１２      電話送信部
３６      制御回路（制御部）
４０      ＲＡＭ（記憶部）
４２      ディスプレイ（表示部）
５８      ＧＰＳ通信部（ＧＰＳ送信部、ＧＰＳ受信部）
６０      第１バッテリー部（電源部）
６２      第２バッテリー部（電源部）
６６      音声変換部
【図１】
2006217259.tif 000003
【図２】
2006217259.tif 000004